(57)【要約】【課題】ドアノブを傷付けることなく、より確実に戸締りをすることができる補助錠取付用金具を提供する。【解決手段】回動自在に結合された第１被覆部１０と第２被覆部２０とを備える。第１被覆部１０及び第２被覆部２０は、閉じ合わされることにより内部にドアノブを収納可能な収納部３０が形成され、内部にはゴムなどの弾性部材４０が配設されている。第１被覆部１０及び第２被覆部２０の外側には、補助錠を取り付けるための取付部１４，２４が設けられており、固定部材５０により固定される。【選択図】図１
0003159061.tif 000002
【実用新案登録請求の範囲】
【請求項１】
ドアノブに設けられたドア錠の鍵穴を覆い補助錠を取り付けるための補助錠取付用金具であって、
ドアノブの側部を覆う半筒状の側面部と、ドアノブの鍵穴側を覆う前面部と、この前面部の反対側においてドアノブ軸に向かって張り出された後端部とをそれぞれ有する第１被覆部及び第２被覆部を備え、
前記第１被覆部及び第２被覆部は、前記側面部の軸方向に対して平行な一端部において互いに回動自在に結合され、閉じ合わされることにより内部にドアノブを収納可能な収納部を形成し、前記側面部の軸方向に対して平行な他端部には、閉じ合わせた時に対向するように外側に向かって突出されると共に、補助錠を取り付けるための貫通孔が開けられた取付部がそれぞれ設けられ、
前記第１被覆部の前面部は、第１被覆部側を覆う第１半円部と、この第１半円部の円中心部において前記第２被覆部の側に突出された前記第１半円部よりも半径の小さい半円状の第１突出部とを有し、
前記第２被覆部の前面部は、前記第１突出部の外側において第２被覆部側を覆う第２半円部と、前記第１被覆部の側に突出され前記第１半円部の外側において前記第１半円部の全体を覆う第２突出部とを有し、
前記側面部の収納部側、前記第１半円部の収納部側、前記第１突出部の収納部側、前記第２半円部のうち前記第１突出部と重なっていない領域の収納部側、並びに、前記後端部の収納部側及びドアノブ軸側には、弾性部材がそれぞれ設けられ、
更に、前記第１被覆部の前記取付部と前記第２被覆部の前記取付部とを重ね合わせた状態でそれらを覆うことにより固定すると共に、前記取付部の貫通孔に対応して補助錠を取り付けるための貫通孔が設けられた固定部材を備えた
ことを特徴とする補助錠取付用金具。
【考案の詳細な説明】
【技術分野】
【０００１】
本考案は、ドアノブに設けられたドア錠の鍵穴を覆い補助錠を取り付けるための補助錠取付用金具に関する。
【背景技術】
【０００２】
近年、いわゆるピッキング被害が多発している。そこで、ドアノブの鍵穴を覆うことによりピッキングを防止するものが提案されている（例えば、特許文献１参照）。
【先行技術文献】
【特許文献】
【０００３】
【特許文献１】実用新案登録第３０７６５０５号公報
【考案の概要】
【考案が解決しようとする課題】
【０００４】
しかしながら、特許文献１に記載されているカバーは、ステンレスにより構成されているので、ドアノブを傷付けてしまう恐れがあった。また、特許文献１では、回動可能に結合された分割部材の開閉側の縁部に板状の取付部を設け、取付部に開けられたロック穴にロック部材を取り付けて、閉塞状態を固定するようになっているので、ロック部材に南京錠を用いると、閉じ合わせた取付部の間に隙間ができ、こじ開けられる恐れがあった。
【０００５】
本考案は、このような問題に基づきなされたものであり、ドアノブを傷付けることなく、より確実に戸締りをすることができる補助錠取付用金具を提供することを目的とする。
【課題を解決するための手段】
【０００６】
本考案の補助錠取付用金具は、ドアノブに設けられたドア錠の鍵穴を覆い補助錠を取り付けるためのものであって、ドアノブの側部を覆う半筒状の側面部と、ドアノブの鍵穴側を覆う前面部と、この前面部の反対側においてドアノブ軸に向かって張り出された後端部とをそれぞれ有する第１被覆部及び第２被覆部を備え、第１被覆部及び第２被覆部は、側面部の軸方向に対して平行な一端部において互いに回動自在に結合され、閉じ合わされることにより内部にドアノブを収納可能な収納部を形成し、側面部の軸方向に対して平行な他端部には、閉じ合わせた時に対向するように外側に向かって突出されると共に、補助錠を取り付けるための貫通孔が開けられた取付部がそれぞれ設けられ、第１被覆部の前面部は、第１被覆部側を覆う第１半円部と、この第１半円部の円中心部において第２被覆部の側に突出された第１半円部よりも半径の小さい半円状の第１突出部とを有し、第２被覆部の前面部は、第１突出部の外側において第２被覆部側を覆う第２半円部と、第１被覆部の側に突出され第１半円部の外側において第１半円部の全体を覆う第２突出部とを有し、側面部の収納部側、第１半円部の収納部側、第１突出部の収納部側、第２半円部のうち第１突出部と重なっていない領域の収納部側、並びに、後端部の収納部側及びドアノブ軸側には、弾性部材がそれぞれ設けられ、更に、第１被覆部の取付部と第２被覆部の取付部とを重ね合わせた状態でそれらを覆うことにより固定すると共に、取付部の貫通孔に対応して補助錠を取り付けるための貫通孔が設けられた固定部材を備えたものである。
【考案の効果】
【０００７】
本考案の補助錠取付用金具によれば、収納部側に弾性部材を設けるようにしたので、ドアノブを傷付けることを防止することができる。また、第１被覆部の前面部が、第１被覆部側を覆う第１半円部と、この第１半円部の円中心部において第２被覆部の側に突出された第１半円部よりも半径の小さい半円状の第１突出部とを有し、第２被覆部の前面部が、第１突出部の外側において第２被覆部側を覆う第２半円部と、第１被覆部の側に突出され第１半円部の外側において第１半円部の全体を覆う第２突出部とを有するようにしたので、前面部を無理なく重ね合わせてドアノブの鍵穴を確実に覆うことができると共に、前面部の収納部側に容易に弾性部材を配設することができる。
【０００８】
更に、第１被覆部の取付部と第２被覆部の取付部とを重ね合わせた状態でそれらを覆うことにより固定する固定部材を備えるようにしたので、補助錠を取り付けた状態において、第１被覆部の取付部と第２被覆部の取付部との間が開いて隙間が生じてしまうことを防止することができる。よって、より確実に戸締りをすることができ、安全性をより高めることができる。
【図面の簡単な説明】
【０００９】
【図１】本考案の一実施の形態に係る補助錠取付用金具の構成を表す図である。
【図２】図１に示した補助錠取付用金具をＩ方向から見た構成を表す図である。
【図３】図１に示した補助錠取付用金具のＩＩ−ＩＩ線及びＩＩＩ−ＩＩＩ線に沿った断面構造を表す図である。
【図４】図１に示した補助錠取付用金具をＩＶ方向から見た構成を表す図である。
【図５】図１に示した補助錠取付用金具を取り付ける様子を表す図である。
【図６】図１に示した補助錠取付用金具を閉じた状態を表す図である。
【考案を実施するための形態】
【００１０】
以下、本考案の実施の形態について、図面を参照して詳細に説明する。
【００１１】
図１は本考案の一実施の形態に係る補助錠取付用金具１の構成を表すものであり、図２は図１に示したＩ方向から見た構成を表すものであり、図３（Ａ）は図１に示したＩＩ−ＩＩ線に沿った断面構造を表すものであり、図３（Ｂ）はＩＩＩ−ＩＩＩ線に沿った断面構造を表すものであり、ＩＩ−ＩＩ線に沿った断面構造も破線で合わせて示している。また、図４はＩＶ方向から見た構成を表すものであり、図５は図４に示したＶ−Ｖ線に沿った断面構造を表すものであり、ドアノブに取り付ける様子を表している。更に、図６（Ａ），（Ｂ）は図１に示した補助錠取付用金具１を閉じた状態を表すものであり、（Ｂ）は（Ａ）に示したＶＩ方向から見たものである。
【００１２】
この補助錠取付用金具１は、ドアノブ２に設けられたドア錠の鍵穴２Ａを覆い、補助錠３を取り付けるためのものであり、例えばステンレスよりなる第１被覆部１０と第２被覆部２０とを備えている。第１被覆部１０は、ドアノブ２の側部を覆う半筒状、例えば半円筒状の側面部１１と、ドアノブ２の鍵穴２Ａの側を覆う前面部１２と、この前面部１２の反対側においてドアノブ軸２Ｂに向かって張り出された後端部１３とを有している。第２被覆部２０は、第１被覆部１０と同様に、ドアノブ２の側部を覆う半筒状、例えば半円筒状の側面部２１と、ドアノブ２の鍵穴２Ａの側を覆う前面部２２と、この前面部２２の反対側においてドアノブ軸２Ｂに向かって張り出された後端部２３とを有している。
【００１３】
第１被覆部１０と第２被覆部２０とは、側面部１１，２１の軸方向に対して平行な一端部において互いに回動自在に結合されており、閉じ合わされることにより内部にドアノブ２を収納可能な収納部３０が形成されるようになっている。側面部１１，２１の軸方向に対して平行な他端部には、閉じ合わせた時に対向するように、外側に向かって突出して、南京錠等の補助錠３を取り付けるための取付部１４，２４がそれぞれ設けられている。取付部１４，２４には、対向する位置に、補助錠を取り付けるための貫通孔１４Ａ，２４Ａがそれぞれ開けられている。
【００１４】
第１被覆部１０の前面部１２は、第１被覆部１０の側を覆う第１半円部１２Ａと、この第１半円部１２Ａの円中心部において第２被覆部２０の側に突出された第１突出部１２Ｂとを有している。第１突出部１２Ｂは、第１半円部１２Ａよりも半径の小さい半円状とされている。第２被覆部２０の前面部２２は、第１突出部１２Ｂの外側において第２被覆部２０の側を覆う第２半円部２２Ａと、第１被覆部１０の側に突出され第１半円部１２Ｂの外側において第１半円部１２Ｂの全体を覆う第２突出部２２Ｂとを有している。このような構造とすることにより、第１被覆部１０と第２被覆部２０とを閉じ合わせた時に、前面部１２，２２を無理なく重ね合わせることができるようになっている。なお、第１突出部１２Ｂの半径は、第１半円部１２Ａの半径の４０％以上８０％以下の範囲内とすることが好ましい。
【００１５】
側面部１１，２１の収納部３０の側、第１半円部１２Ａの収納部３０の側、第１突出部１２Ｂの収納部３０の側、第２半円部２２Ａのうち第１突出部１２Ｂと重なっていない領域の収納部３０の側、並びに、後端部１３，２３の収納部３０の側及びドアノブ軸２Ｂの側には、ゴムなどの弾性部材４０がそれぞれ設けられている。ドアノブ２を傷付けないようにするためである。
【００１６】
この補助錠取付用金具１には、また、第１被覆部１０の取付部１４と第２被覆部２０の取付部２４とを重ね合わせた状態でそれらを覆うことにより固定するための固定部材５０が設けられている。固定部材５０は、例えば、第１被覆部１０の取付部１４又は第２被覆部２０の取付部２４に対して回動可能に取り付けられている。固定部材５０には、例えば、取付部１４，２４を挿入する溝５１が形成されており、取付部１４，２４を溝５１に挿入した際に、貫通孔１４Ａ，２４Ａに対応する位置に、補助錠３を取り付けるための貫通孔５２が設けられている。
【００１７】
この補助錠取付用金具１は、例えば、第１被覆部１０と第２被覆部２０とを回動させて収納部３０にドアノブ２を収納し、第１被覆部１０と第２被覆部２０とを閉じ合わせて取付部１４，２４を重ね合わせ、固定部材５０で挟み込み、貫通孔５２，１４Ａ，２４Ａに補助錠３を取り付けて用いる。
【００１８】
このように本実施の形態によれば、収納部３０の側に弾性部材４０を設けるようにしたので、ドアノブ２を傷付けることを防止することができる。また、第１被覆部１０の前面部１２が、第１半円部１２Ａと第１突出部１２とを有し、第２被覆部２０の前面部２２が、第２半円部２２Ａと第２突出部２２Ｂとを有するようにしたので、前面部１２，２２を無理なく重ね合わせてドアノブ２の鍵穴２Ａを確実に覆うことができると共に、前面部１２，２２の収納部３０の側に容易に弾性部材を設けることができる。
【００１９】
更に、第１被覆部１０の取付部１４と第２被覆部２０の取付部２４とを重ね合わせた状態でそれらを覆うことにより固定する固定部材５０を備えるようにしたので、補助錠３を取り付けた状態において、取付部１４，２４の間が開いて隙間が生じてしまうことを防止することができる。よって、より確実に戸締りをすることができ、安全性をより高めることができる。
【００２０】
以上、実施の形態を挙げて本考案を説明したが、本考案は上記実施の形態に限定されるものではなく、種々変形可能である。
【産業上の利用可能性】
【００２１】
ドアノブに用いることができる。
【符号の説明】
【００２２】
１…補助錠取付用金具、２…ドアノブ、２Ａ…鍵穴、２Ｂ…ドアノブ軸、３…補助錠、１０…第１被覆部、１１…側面部、１２…前面部、１２Ａ…第１半円部、１２Ｂ…第１突出部、１３…後端部、１４…取付部、１４Ａ…貫通孔、２０…第２被覆部、２１…側面部、２２…前面部、２２Ａ…第２半円部、２２Ｂ…第２突出部、２３…後端部、２４…取付部、２４Ａ…貫通孔、３０…収納部、４０…弾性部材、５０…固定部材、５１…溝、５２…貫通孔
【図１】
0003159061.tif 000003
【図２】
0003159061.tif 000004
【図３】
0003159061.tif 000005
【図４】
0003159061.tif 000006
【図５】
0003159061.tif 000007
【図６】
0003159061.tif 000008